(57)【要約】【課題】他のハンガーと同じように扱うことができ、かつ、フード付衣類についても他の衣類のついても用いることができるハンガーを提供する。【解決手段】ハンガー１０は、一対の肩掛け部１１と、この一対の肩掛け部１１を上方において連結する連結部１２と、この連結部１２の上方に設けられたフック部１３とを備えている。ハンガー１０は、また、連結部１２から肩掛け部１１の一方に沿って伸長して設けられた支持棒１５を有している。支持棒１５は、基端側が連結部に対して回動可能に配設されており、基端側を中心として、先端側が肩掛け部１１の一方から他方に向かって移動できるように構成されている。【選択図】図１
0003176265.tif 000002
【実用新案登録請求の範囲】
【請求項１】
一対の肩掛け部と、この一対の肩掛け部を上方において連結する連結部と、この連結部の上方に設けられたフック部とを備えたハンガーであって、
前記連結部から前記肩掛け部の一方に沿って伸長して設けられた支持棒を有し、
この支持棒は、基端側を中心として、先端側が前記肩掛け部の一方から他方に向かって移動できるように、前記連結部に対して回動可能に配設され、
前記支持棒の先端には、前記支持棒に沿って伸長された状態と、前記支持棒に交差する状態とを変化させることができるように係止棒が回動可能に配設され、
前記連結部には、前記支持棒に隣接して、前記肩掛け部の他方の側に突起部が設けられた
ことを特徴とするハンガー。
【考案の詳細な説明】
【技術分野】
【０００１】
本考案は、衣類をかけるハンガーに関する。
【背景技術】
【０００２】
洗濯した衣類を乾かす際に用いるハンガーは、一般に、平べったく三角形に近い形状を有している。そのため、パーカー等のフード付の衣類をハンガーにかけて干すと、フード部分において布が重なってしまい、通気性が悪く、乾きにくいという問題があった。そこで、例えば、フック部を上方に延長し、そこに環状のフード掛けを設けたハンガーが提案されている（例えば、特許文献１参照）。
【先行技術文献】
【特許文献】
【０００３】
【特許文献１】実用新案登録第３１６８６４２号公報
【考案の概要】
【考案が解決しようとする課題】
【０００４】
しかしながら、特許文献１に記載のハンガーは、フック部が上方に伸長され、そこにフード掛けが設けられているので、一般的なハンガーとは形状が大きく異なっている。そのため、他のハンガーと一緒に扱うことが難しく、また、フード付衣類を乾かすためのみに用意しなければならないので、取り扱いが不便であるという問題があった。
【０００５】
本考案は、このような問題に基づきなされたものであり、他のハンガーと同じように扱うことができ、かつ、フード付衣類についても他の衣類のついても用いることができるハンガーを提供することを目的とする。
【課題を解決するための手段】
【０００６】
本考案のハンガーは、一対の肩掛け部と、この一対の肩掛け部を上方において連結する連結部と、この連結部の上方に設けられたフック部とを備えたハンガーであって、連結部から肩掛け部の一方に沿って伸長して設けられた支持棒を有し、この支持棒は、基端側を中心として、先端側が肩掛け部の一方から他方に向かって移動できるように、連結部に対して回動可能に配設され、支持棒の先端には、支持棒に沿って伸長された状態と、支持棒に交差する状態とを変化させることができるように係止棒が回動可能に配設され、連結部には、支持棒に隣接して、肩掛け部の他方の側に突起部が設けられたものである。
【考案の効果】
【０００７】
本考案のハンガーによれば、連結部から肩掛け部の一方に沿って伸長して支持棒を設け、支持棒を先端側が肩掛け部の一方から他方に向かって移動できるように、連結部に対して回動可能に配設するようにしたので、例えば、フード付衣類を乾かす際には、支持棒を肩掛け部の一方と他方の中間に移動させることにより、フードを掛けて浮かせた状態とすることができ、早く乾かすことができる。また、他の衣類を乾かす際やハンガーをしまう際には、支持棒を肩掛け部の一方に沿わせて折り曲げることにより、支持棒のないハンガーと同様に取り扱うことができる。
【０００８】
更に、支持棒の先端に係止棒を回動可能に配設し、支持棒に沿って伸長された状態と、支持棒に交差する状態とを変化させることができるようにしたので、例えば、フード付衣類を乾かす際には、係止棒を回転させて支持棒に交差する状態とすることにより、フードを支えやすくすることができる。また、他の衣類を乾かす際やハンガーをしまう際には、係止棒を回動させて支持棒に沿って伸長した状態とすることにより、引っかかりがなくなり、取り扱いを容易とすることができる。
【０００９】
加えて、連結部に、支持棒に隣接して、肩掛け部の他方の側に突起部を設けるようにしたので、支持棒を肩掛け部の一方と他方の中間に固定することができる。
【図面の簡単な説明】
【００１０】
【図１】本考案の一実施の形態に係るハンガーの構成を表す図である。
【図２】図１に示したハンガーの一部を拡大して表す図である。
【考案を実施するための形態】
【００１１】
以下、本考案の実施の形態について、図面を参照して詳細に説明する。
【００１２】
図１は、本考案の一実施の形態に係るハンガー１０の構成を表すものであり、（Ａ）は使用時の一例を表し、（Ｂ）は収納時の一例を表している。このハンガー１０は、例えば、プラスチックにより構成されており、一対の肩掛け部１１と、この一対の肩掛け部１１を上方において連結する連結部１２と、この連結部１２の上方に設けられたフック部１３とを備えている。一対の肩掛け部１１の下方は、例えば、底辺部１４により連結されている。
【００１３】
このハンガー１０は、また、連結部１２から肩掛け部１１の一方に沿って伸長して設けられた支持棒１５を有している。支持棒１５は、基端側が連結部に対して回動可能に配設されており、基端側を中心として、先端側が肩掛け部１１の一方から他方に向かって移動できるように構成されている。肩掛け部１１の側面には、例えば、支持棒１５を収納することができるように凹部が設けられていてもよい。
【００１４】
連結部１２には、支持棒１５に隣接して、肩掛け部１１の他方の側に突起部１６が設けられており、支持棒１５を肩掛け部１１の一方から他方の方に移動させた際に、中間位置で固定させることができるようになっている。
【００１５】
図２は、支持棒１５の先端側を拡大して表すものである。支持棒１５の先端には、係止棒１７が回動可能に配設されている。係止棒１７は、回動により、例えば、支持棒１５に沿って同一方向に伸長された状態と、支持棒１５に交差する状態とを変化させることができるように構成されている。また、係止棒１７は、例えば、支持棒１５を肩掛け部１１の一方と他方の中間に移動させた際に、回動により、係止棒１７が肩掛け部１１の一方と他方とを結ぶ方向に平行となるように配設されていることが好ましい。
【００１６】
このハンガー１０では、フード付衣類を乾かす際には、例えば、支持棒１５を肩掛け部１１の一方から他方に向かって突起部１６に当接するまで移動させ、肩掛け部１１の一方と他方の中間に位置させる。次いで、係止棒１７を回動させて、支持棒１５と交差させ、肩掛け部１１の一方と他方とを結ぶ方向に平行とする。続いて、フード付衣類の肩を肩掛け部１１にかけ、フードを支持棒１５及び係止棒１７にかけて、フードを浮かせる。また、他の衣類を乾かす際やしまう際には、例えば、係止棒１７を回動させて、支持棒１５に沿って伸長させ、支持棒１５を肩掛け部１１の一方の方に移動させ、肩掛け部１１の一方に沿って折り曲げる。これにより、支持棒１５のないハンガーと同様に取り扱うことができる。
【００１７】
このように本実施の形態のハンガー１０によれば、連結部１２から肩掛け部１１の一方に沿って伸長して支持棒１５を設け、支持棒１５を先端側が肩掛け部１１の一方から他方に向かって移動できるように、連結部１２に対して回動可能に配設するようにしたので、例えば、フード付衣類を乾かす際には、支持棒１５を肩掛け部１１の一方と他方の中間に移動させることにより、フードを掛けて浮かせた状態とすることができ、早く乾かすことができる。また、他の衣類を乾かす際やハンガーをしまう際には、支持棒１５を肩掛け部１１の一方に沿わせて折り曲げることにより、支持棒１５のないハンガーと同様に取り扱うことができる。
【００１８】
更に、支持棒１５の先端に係止棒１７を回動可能に配設し、支持棒１５に沿って伸長された状態と、支持棒１５に交差する状態とを変化させることができるようにしたので、例えば、フード付衣類を乾かす際には、係止棒１７を回転させて支持棒１５に交差する状態とすることにより、フードを支えやすくすることができる。また、他の衣類を乾かす際やハンガーをしまう際には、係止棒１７を回動させて支持棒１５に沿って伸長した状態とすることにより、引っかかりがなくなり、取り扱いを容易とすることができる。
【００１９】
加えて、連結部１２に、支持棒１５に隣接して、肩掛け部１１の他方の側に突起部１６を設けるようにしたので、支持棒１５を肩掛け部１１の一方と他方の中間に固定することができる。
【００２０】
以上、実施の形態を挙げて本考案を説明したが、本考案は上記実施の形態に限定されるものではなく、種々変形可能である。例えば、上記実施の形態で説明した各構成要素を全て備えていなくてもよく、また、他の構成要素を備えていてもよい。更に、上記実施の形態では、各構成要素について具体的に構造を説明したが、他の構造を有するように構成してもよい。
【産業上の利用可能性】
【００２１】
ハンガーとして使用することができる
【符号の説明】
【００２２】
１０…ハンガー、１１…肩掛け部、１２…連結部、１３…フック部、１４…底辺部、１５…支持棒、１６…突出部、１７…係止棒
【図１】
0003176265.tif 000003
【図２】
0003176265.tif 000004